(57)【特許請求の範囲】
【請求項１】
ソケットが着脱自在に接続されるプラグと、前記プラグに前記ソケットが接続されたソケット接続状態を解除するために前記プラグの側方に位置する脱レバーとを備え、その脱レバーが、前記プラグの軸心を中心としてその周りに回動自在で、その脱レバーの操作部が、前記プラグの側方に突出するように設けられたガスコンセントに被せるためのガスコンセント用の保護キャップであって、
前記プラグに被せる有底筒状のキャップ本体部と、前記キャップ本体部が前記プラグに被せられた被冠状態で、前記操作部における少なくとも前記プラグの先端側を覆うレバー覆い部が一体的に備えられ、且つ、前記キャップ本体部の前記プラグの軸心周りでの回動時に、前記脱レバーに接当して脱レバーと一緒に回動する接当部が一体的に備えられているガスコンセント用の保護キャップ。
【請求項２】
前記接当部が、前記キャップ本体部の軸心方向視において前記脱レバーの突出方向の左右両外側又は内側に接当する一対の舌片により構成されている請求項１に記載のガスコンセント用の保護キャップ。
【請求項３】
前記操作部が、前記プラグから離間する側に切り欠き部を有する二股状の二股操作部として構成され、前記レバー覆い部が、前記二股操作部を覆う一対のカバー部を備えている請求項１又は２に記載のガスコンセント用の保護キャップ。
【請求項４】
前記キャップ本体部とレバー覆い部を連結する補強用のリブが、前記キャップ本体部の軸心方向視において前記脱レバーの突出方向の左右に一対設けられている請求項１〜３のいずれか１項に記載のガスコンセント用の保護キャップ。
【請求項５】
前記プラグの外周に円環溝が形成され、
前記脱レバーが、前記円環溝内に相対回動自在に嵌入された支持軸により支持されることで、前記プラグの軸心を中心としてその周りに回動するように構成された請求項１〜４のいずれか１項に記載のガスコンセント用の保護キャップ。
【発明の詳細な説明】
【技術分野】
【０００１】
本発明は、ソケットが着脱自在に接続されるプラグと、前記プラグに前記ソケットが接続されたソケット接続状態を解除するために前記プラグの側方に位置する脱レバーとを備え、その脱レバーが、前記プラグの周りに回動自在で、その脱レバーの操作部が、前記プラグの側方に突出するように設けられたガスコンセントに被せるためのガスコンセント用の保護キャップに関する。
【背景技術】
【０００２】
かかるガスコンセント用の保護キャップを被せるガスコンセントは、例えば、住宅の壁面などに対して埋め込み式に配設され、ガスホースの先端に取り付けられたソケットを接続することにより、ガスファンヒータなどの各種のガス機器にガスを供給するために使用される。
そのガスコンセントには、通常、ソケットが着脱自在に接続されるプラグと、プラグにソケットが接続されたソケット接続状態を解除するためにプラグの側方に位置する脱レバーとが備えられ、その脱レバーが、ガスコンセントの取り付け姿勢に応じて、プラグに対する脱レバーの向きを自由に設定できるように、プラグの周りに回動自在に設けられ、その脱レバーの操作部が、プラグの側方に突出するように設けられている（例えば、特許文献１参照）。
【０００３】
このようなガスコンセントでは、プラグに傷が付いたり、プラグ内に塵埃などが入り込むと、ソケットとの接続に支障をきたすため、ガスコンセントの保管時や新規設置箇所への運搬時に保護キャップが被せられる。更に、その保護キャップは、ガスコンセントを壁面形成材の裏面側に取り付けた後においても、周辺の作業が終了して壁面形成材に設けられた開口部に表カバーが取り付けられるまでの間、プラグを保護するために被せられたままとなる。
そして、このような機能を有する保護キャップは、上記特許文献１には記載されていないが、従来、プラグに被せることが可能な有底円筒状の全体形状を呈するように構成されていた。
【先行技術文献】
【特許文献】
【０００４】
【特許文献１】特開２００５−１２７４７０号公報
【発明の概要】
【発明が解決しようとする課題】
【０００５】
しかしながら、従来の保護キャップは、全体形状が有底円筒状で、ガスコンセントのプラグのみに被せる構成であったがため、プラグの側方に突出している脱レバーの操作部は露出したままで保護されないという問題があった。
そのため、ガスコンセントの保管時や運搬時に他物が脱レバーの操作部に当って損傷する可能性があり、更には、ガスコンセントの新規設置作業時に、例えば、ガスコンセントを壁面形成材の裏面側に取り付けた後において、壁面周辺での各種の作業時に作業用の工具や機器などが脱レバーの操作部に当って損傷する虞があり、脱レバーの操作部が損傷すると、プラグに対するソケットの解除を所望どおりに行うことができなくなるという問題があった。
【０００６】
本発明は、かかる実状に鑑みてなされたものであり、その目的は、ガスコンセントの保護性能の向上を図り、ガスコンセントを所望どおりに保護し得るガスコンセント用の保護キャップを提供することにある。
【課題を解決するための手段】
【０００７】
本発明のガスコンセント用の保護キャップは、ソケットが着脱自在に接続されるプラグと、前記プラグに前記ソケットが接続されたソケット接続状態を解除するために前記プラグの側方に位置する脱レバーとを備え、その脱レバーが、前記プラグの軸心を中心としてその周りに回動自在で、その脱レバーの操作部が、前記プラグの側方に突出するように設けられたガスコンセントに被せるためのものであって、
第１特徴構成は、前記プラグに被せる有底筒状のキャップ本体部と、前記キャップ本体部が前記プラグに被せられた被冠状態で、前記操作部における少なくとも前記プラグの先端側を覆うレバー覆い部が一体的に備えられ、且つ、前記キャップ本体部の前記プラグの軸心周りでの回動時に、前記脱レバーに接当して脱レバーと一緒に回動する接当部が一体的に備えられている点にある。
【０００８】
上記特徴構成によれば、プラグに被せる有底筒状のキャップ本体部が備えられているので、従来と同様に、ソケットが接続されるガスコンセントのプラグを確実に保護することができる。
それに加えて、キャップ本体部がプラグに被せられた被冠状態で、脱レバーの操作部における少なくともプラグの先端側を覆うレバー覆い部が一体的に備えられているので、脱レバーの操作部もレバー覆い部により確実に保護することができる。
そして、脱レバーが、プラグの周りに回動自在であるため、ガスコンセントの取り付け姿勢、例えば、ガスコンセントを縦向きに取り付ける場合にも、また、横向きに取り付ける場合にも、その取り付け姿勢に応じて、プラグに対する脱レバーの向きを自由に設定できるのであり、その脱レバーの回動時に、脱レバーに接当して脱レバーと一緒に回動する接当部が一体的に備えられているので、脱レバーの回動時において、保護キャップをいちいち取り外す必要はなく、ガスコンセントのプラグと脱レバーの操作部を確実に保護することができる。
その結果、ガスコンセントの取り付け姿勢の如何にかかわらず、ガスコンセントのプラグのみならず、脱レバーの操作部も、他物の接当による損傷や塵埃の付着から確実に保護され、ガスコンセントの保護性能の向上を図ることができる。
【０００９】
第２特徴構成は、上記第１特徴構成に加えて、前記接当部が、前記キャップ本体部の軸心方向視において前記脱レバーの突出方向の左右両外側又は内側に接当する一対の舌片により構成されている点にある。
【００１０】
上記特徴構成によれば、脱レバーと一緒に回動する接当部が、キャップ本体部の軸心方向視において脱レバーの突出方向の左右両外側又は内側に接当する一対の舌片により構成されているので、その一対の舌片が、キャップ本体部周りにおいて脱レバーに対する保護キャップの回転止めとして機能し、更に、脱レバーの左右両外側又は内側の保護機能をも兼用することになり、機能の兼用化による構造の簡素化を図ることができる。
【００１１】
第３特徴構成は、上記第１又は第２特徴構成に加えて、前記操作部が、前記プラグから離間する側に切り欠き部を有する二股状の二股操作部として構成され、前記レバー覆い部が、前記二股操作部を覆う一対のカバー部を備えている点にある。
【００１２】
上記特徴構成によれば、保護キャップをガスコンセントに被せると、レバー覆い部の一対のカバー部が、プラグから離間する側に切り欠き部を有する二股状の操作部における少なくともプラグ先端側を覆うことになり、脱レバーの操作部が二股状になっていても、その二股操作部を的確に覆うことができる。
【００１３】
第４特徴構成は、上記第１〜第３特徴構成に加えて、前記キャップ本体部とレバー覆い部を連結する補強用のリブが、前記キャップ本体部の軸心方向視において前記脱レバーの突出方向の左右に一対設けられている点にある。
【００１４】
上記特徴構成によれば、キャップ本体部とレバー覆い部を連結する補強用のリブが、キャップ本体部の軸心方向視において脱レバーの突出方向の左右に一対設けられているので、キャップ本体部とレバー覆い部との連結は強固なものとなり、たとえ他物が接当しても、キャップ本体部又はレバー覆い部が容易に欠落する虞はなく、ガスコンセントのプラグと脱レバーの操作部を確実に保護することができる。
さらなる特徴構成として、前記プラグの外周に円環溝が形成され、前記脱レバーが、前記円環溝内に相対回動自在に嵌入された支持軸により支持されることで、前記プラグの軸心を中心としてその周りに回動するように構成すると好適である。
【図面の簡単な説明】
【００１５】
【図１】壁面形成材に対するガスコンセントの取付構造を示す分解斜視図
【図２】ガスコンセントにおける脱レバーを分離した状態での斜視図
【図３】壁面形成材に取り付けられたガスコンセントの横断平面図
【図４】壁面形成材に取り付けられたガスコンセントの横断平面図
【図５】壁面形成材に取り付けられたガスコンセントの横断平面図
【図６】壁面形成材に取り付けられたガスコンセントの横断平面図
【図７】表カバー及びガスコンセントの裏面側からの斜視図
【図８】ガスコンセントの要部と保護キャップの斜視図
【図９】保護キャップにおけるキャップ本体部の軸心方向視図
【図１０】保護キャップが被せられたガスコンセントの要部の斜視図
【発明を実施するための形態】
【００１６】
本発明によるガスコンセント用の保護キャップにつき、その実施の形態を図面に基づいて説明する。
本発明の対象となるガスコンセントとしては、例えば、図１に示すように、壁面形成材Ｗに形成された開口部Ｗ１に臨む状態で、壁面形成材Ｗの裏面側に配設のガス管Ｐ（図３〜図６参照）に取り付けられる埋設式のガスコンセント１がある。
このガスコンセント１は、図２〜図６に示すように、円筒状のプラグ２を備え、図５に仮想線で示すように、そのプラグ２にソケット３を外嵌して押し込むことにより、プラグ２に対してソケット３がワンタッチで接続されるとともに、ソケット３の先端にある進退筒３ａが進出して接続がロックされ、且つ、ガスコンセント１内に設けられた開閉弁（図示せず）が開弁して、ガス管Ｐからのガスがプラグ２を介してソケット３側へ流入するように構成されている。
【００１７】
ガスコンセント１のプラグ２は、図２に示すように、先端側２ｔが小径となる２段筒状に形成され、基端側の大径部の外周には、円環溝２ａが形成され、且つ、円環溝２ａより基端側に大径の段部２ｂが設けられていて、ほぼＣ字状の装着軸４ａとその両端から一体的に延出する一対の延出軸４ｂからなる金属線材製の支持軸４が、その円環溝２ａ内に相対回動自在に嵌入され、支持軸４の両延出軸４ｂに脱レバー５が揺動自在に取り付けられている。
脱レバー５は、プラグ２にソケット３が外嵌接続されたソケット接続状態で、プラグ２に対するソケット３の接続を揺動操作により解除するもので、二股状に形成されてプラグ２の側方へ突出する二股操作部５ａ、言い換えると、プラグ２から離間する側に切り欠き部を有する二股操作部５ａ、同じく二股状に形成されてプラグ２の側方に位置する解除操作部５ｂ、及び、その二股操作部５ａと解除操作部５ｂを連結する連結部５ｃなどを備え、その解除操作部５ｂの連結部５ｃ近傍が、支持軸４の延出軸４ｂにより支持され、脱レバー５が、プラグ２の軸心方向に揺動自在に構成されている。
【００１８】
脱レバー５を支持する支持軸４の両延出軸４ｂには、１本のコイルバネ６の両端部が巻き付けられて脱レバー５の解除操作部５ｂにそれぞれ接当され、そのコイルバネ６の中間部がプラグ２の外周面に接当され、それによって、脱レバー５が一定の方向、つまり、脱レバー５の二股操作部５ａがプラグ２の先端側２ｔへ、解除操作部５ｂがプラグ２の基端側へ弾性的に揺動付勢されるとともに、脱レバー５の解除操作部５ｂがプラグ２の段部２ｂに接当するように構成されている。
すなわち、脱レバー５の揺動範囲は、プラグ２の段部２ｂにより規制され、解除操作部５ｂが、段部２ｂよりもプラグ２の先端側２ｔにおいてのみ揺動するように設定され、通常は、コイルバネ６によって、解除操作部５ｂが段部２ｂに接当する位置、つまり、図４、図５に示す姿勢に維持されている。
【００１９】
更に、コイルバネ６の中間部には、外側へ突出するように折曲された折曲部６ａが設けられ、その折曲部６ａがプラグ２の外周面に設けられた複数本の突条２ｃのいずれかに係合することにより、脱レバー５の位置が位置決めされるように構成されている。
すなわち、脱レバー５は、支持軸４がプラグ２の円環溝２ａ内で回動することにより、プラグ２の周りに回動自在に構成され、その脱レバー５の回動に伴ってコイルバネ６も一緒に回動し、コイルバネ６の折曲部６ａが突条２ｃ（本実施例では、９０度の角度を置いて３本の突条２ｃが設けられている）に係合する位置で、脱レバー５が位置決めされるように構成されている。
そして、プラグ２にソケット３が外嵌接続されたソケット接続状態で、脱レバー５の二股操作部５ａをプラグ２の基端側へ押し込むように揺動させることにより、図６に示すように、解除操作部５ｂがプラグ２の先端側２ｔへ揺動されてソケット３の進退筒３ａをロック解除方向へ押圧し、プラグ２からソケット３を取り外して接続を解除するように構成されている。
【００２０】
次に、このようなガスコンセント１を壁面形成材Ｗの裏面側に取り付けるための構成について説明する。
ガスコンセント１は、図１に示すように、取付部材２０を用いて壁面形成材Ｗの裏面側に取り付けられる。この取付部材２０は、開口部Ｗ１の開口縁に沿って壁面形成材Ｗの表面側に取り付けられる矩形枠状の表側枠体２１、開口部Ｗ１の開口縁に沿って壁面形成材Ｗの裏面側に取り付けられる矩形枠状の裏側枠体２２、及び、その裏側枠体２２の裏面側に間隔を開けて取り付けられる取付台２３などで構成されている。
表側枠体２１と裏側枠体２２は、それらの間に壁面形成材Ｗを介在させた状態で複数のネジ２４で連結することにより、壁面形成材Ｗの表裏に取り付けられ、裏側枠体２２の裏面側には、複数の突片２２ａが壁面形成材Ｗの奥側に向けて突設され、これら複数の突片２２ａの先端に、取付台２３が複数のネジ２５により取り付けられる。
そして、ガスコンセント１が、裏側枠体２２と取付台２３との間に位置された状態で、複数のネジ２６により取付台２３に取り付けられることにより、壁面形成材Ｗの裏面側に埋め込み状で取り付けられる。
【００２１】
更に、図７にも示すように、壁面形成材Ｗの開口部Ｗ１を覆う表カバー３０が、表側枠体２１に着脱自在に取り付けられるように構成されている。
この表カバー３０の裏面側には、取付部材２０に取り付けられたガスコンセント１のプラグ２の先端を臨ませる円筒状部３１が突設され、表面側には、底面に円筒状部３１が開口し且つその開口部の側方に細長矩形状の扉体挿通孔３２が開口する形態で、矩形状の凹部３３が形成されている。
そして、表カバー３０には、円筒状部３１の表側を開閉する矩形状の扉体３８が、凹部３３に嵌まり込んで円筒状部３１の表側を閉じる倒れ姿勢（図４参照）と面方向がプラグ２の軸心に沿う姿勢で扉体挿通孔３２に挿通される状態となって円筒状部３１の表側を開く立ち姿勢（図５、図６参照）とに切り換え自在で、且つ、立ち姿勢においてプラグ２の軸心に沿う方向に往復移動操作自在に設けられている。
【００２２】
表カバー３０に対する扉体３８の支持構成について、説明を加える。
表カバー３０の裏面側には、図７にも示すように、その裏面側に延びる一対の案内部３４が、円筒状部３１における径方向一端側に偏った位置でその円筒状部３１を挟む形態で設けられ、それら一対の案内部３４に、押し込み部材３５がプラグ２の軸心に沿う方向に移動自在に支持されている。
倒れ姿勢での扉体３８における扉体挿通孔３２側端部の両側部には、一対のアーム部３８ａが裏面側に延びる形態で延設され、これら一対のアーム部３８ａが押し込み部材３５の両側部に枢支部３６を介して枢支されている。
そして、扉体３８と押し込み部材３５との一対の枢支部３６が、押し込み部材３５と一体的に一対の案内部３４に案内されてプラグ２の軸心に沿う方向に移動自在に支持され、一対のコイルバネ３７が、一対のアーム部３８ａと表カバー３０の裏面とにわたって伸び状態で接続されてトグル機構が構成されている。
【００２３】
つまり、扉体３８は、押し込み部材３５に支持された状態で、トグル機構によって一対の枢支部３６を軸心とする揺動により倒れ姿勢と立ち姿勢とに切り換え自在に構成されている。
そして、扉体３８を立ち姿勢にすると、その立ち姿勢の扉体３８は、扉体挿通孔３２を通して、押し込み部材３５と一体的にプラグ２の軸心に沿う方向に移動自在となり、図５に示すように、扉体３８を立ち姿勢にした状態で、ソケット３を表カバー３０の円筒状部３１を通して押し込むと、ソケット３がプラグ２に接続される。
ソケット３をガスコンセント１のプラグ２から取り外すときは、図６に示すように、立ち姿勢の扉体３８を一対のコイルバネ３７の付勢力に抗して壁面の奥側に押し込む。すると、扉体３８と一体的に押し込み部材３５が壁面の奥側に移動して、その押し込み部材３５により脱レバー５の二股操作部５ａがプラグ２の基端側に押し込まれ、それに伴って、脱レバー５の解除操作部５ｂがプラグ２の先端側２ｔに揺動されて、ソケット３の進退筒３ａが後退させられるので、ソケット３がプラグ２から取り外される。
【００２４】
このようなガスコンセント１には、図８〜図１０に示すように、ガスコンセント用の保護キャップ７が被せられる。
本発明では、保護キャップ７には、プラグ２に被せる有底筒状のキャップ本体部８、キャップ本体部８がプラグ２に被せられた被冠状態で、脱レバー５の二股操作部５ａにおける少なくともプラグ２の先端側２ｔを覆うレバー覆い部１０、及び、キャップ本体部８がプラグ２に被せられた被冠状態で、ガスコンセント１の脱レバー５に引っ掛かって係合してキャップ本体部８がプラグ２から離脱するのを防止するとともに、脱レバー５に対する係合を解除可能な鉤状体１４が一体的に備えられている。
【００２５】
保護キャップ７について、説明を加えると、有底筒状のキャップ本体部８の筒軸の基端部にはフランジ部９が一体的に設けられている。
レバー覆い部１０は、二股操作部５ａにおけるプラグ２の先端側２ｔを覆う一対のカバー部１０ａを備え、且つ、それら一対のカバー部１０ａがキャップ本体部８の側方に突出する形態でキャップ本体部８にフランジ部９を介して支持されている。
更に、各カバー部１０ａの先端部の外側縁部には、キャップ本体部８の基端側へ向けて延びて、脱レバー５のプラグ２周りでの回動時に、脱レバー５の外側に接当して脱レバー５と一緒に回動する接当部として機能する舌片１０ｂが一体的に突設されている。
つまり、保護キャップ７のレバー覆い部１０は、一対のカバー部１０ａと、各カバー部１０ａの先端部の外側縁部にキャップ本体部８の基端側へ向けてそれぞれ突設された一対の接当部としての舌片１０ｂとを備えて構成されている。
【００２６】
そして、ガスコンセント１に保護キャップ７を被せると、レバー覆い部１０の一対のカバー部１０ａにより、二股操作部５ａにおけるプラグ２の先端側２ｔが覆われ、更に、一対のカバー部１０ａの先端部の一対の舌片１０ｂにより、キャップ本体部８の軸心方向視において二股操作部５ａの左右両外側が覆われることになる。
しかも、保護キャップ７をガスコンセント１に被せると、一対の舌片１０ｂが、キャップ本体部８の周りにおいて脱レバー５に対する保護キャップ７の回転止めとして機能し、その結果、保護キャップ７を回動すると、一対の舌片１０ｂのいずれか一方が二股操作部５ａに当接するので、脱レバー５を保護キャップ７と一緒に回動させることができる。
【００２７】
そして、棒状の鉤状体１４が、その長手方向をキャップ本体部８の軸心に沿わせて一対のカバー部１０ａの間を通る姿勢で、その長手方向の中間部が一対のカバー部１０ａに一対の揺動部材１５にて支持された状態で設けられている。
それによって、キャップ本体部８がプラグ２に被せられるに伴って、鉤状体１４の先端の鉤部１４ａが脱レバー５の連結部５ｃ（二股操作部５ａにおける二股の連結部分に相当する）に引っ掛かって係合するように構成されている。
【００２８】
更に、一対のカバー部１０ａの先端が、連結部１２により連結され、補強用のリブ１３が、レバー覆い部１０の一対のカバー部１０ａのそれぞれに対して、各カバー部１０ａにおけるキャップ本体部８の底部側に位置する状態で、各カバー部１０ａとキャップ本体部８とに跨って設けられている。
そして、この保護キャップ７全体が、つまり、キャップ本体部８、フランジ部９、レバー覆い部１０、連結部１２、リブ１３、鉤状体１４、及び、揺動部材１５が、柔軟性を有するシリコン樹脂などの軟質樹脂による樹脂成形により弾性を有するように一体的に形成されている。
【００２９】
上述のように構成した保護キャップ７は、ガスコンセント１の保管中や設置場所への搬送中は勿論のこと、ガスコンセント１を壁面形成材Ｗの裏面に取り付けた後も、表カバー３０を取り付けるまでの間は、図３に示すように、ガスコンセント１に被せたままにして他物の接当や塵埃の付着から保護する。
そして、最終的に、ガスコンセント１から保護キャップ７を外して表カバー３０を取り付けることになるが、保護キャップ７を被せたまま表カバー３０を表側枠体２１に取り付けようとすると、表カバー３０に設けられた押し込み部材３５が保護キャップ７の鉤状体１４の頂部に当って、表カバー３０を取り付けることができない。したがって、保護キャップ７を被せたまま、誤って表カバー３０を取り付けることが回避される。
【００３０】
この保護キャップ７をガスコンセント１に被せるには、例えば、親指と人差し指で一対のリブ１３を挟んで持ち、鉤状体１４先端の鉤部１４ａが二股操作部５ａの間を通るようにしてガスコンセント１に押し込む。すると、揺動部材１５の弾性変形によって、鉤部１４ａが脱レバー５の連結部５ｃに引っ掛かって係合し、保護キャップ７がガスコンセント１に取り付けられる。
逆に、保護キャップ７をガスコンセント１から取り外しには、親指と中指で一対のリブ１３を挟み、人差し指で鉤状体１４の上端を手前に引くことにより、鉤部１４ａと連結部５ｃとの係合が解除されるので、保護キャップ７を手前に引き出すことによって、保護キャップ７を簡単に取り外すことができる。
【００３１】
〔別実施形態〕
次に別実施形態を説明する。
（イ）  先の実施形態では、レバー覆い部１０のカバー部１０ａによって、脱レバー５の二股操作部５ａにおける少なくともプラグ２の先端側２ｔを覆うように構成した例を示したが、二股操作部５ａの先端側２ｔに加えて、二股操作部５ａの側方や基端側も覆うように構成することもできる。
また、レバー覆い部１０の舌片１０ｂによって、脱レバー５の回動時に脱レバー５と一緒に回動する接当部を構成した例を示したが、例えば、二股操作部５ａ間に入り込む接当部を保護キャップ７に突設し、その接当部が二股操作部５ａの内側に接当して一緒に回動するように構成することもできる。
ただし、脱レバー５の操作部の形状は、必ずしも二股状である必要はなく、例えば、幅広の板状とすることもでき、その場合には、板状の操作部の外側に接当する舌片１０ｂにより接当部を構成することになる。
【００３２】
（ロ）  先の実施形態では、キャップ本体部８とレバー覆い部１０を補強用のリブ１３により連結した例を示したが、補強用のリブ１３については必ずしも必要ではなく、リブ１３をなくして実施することもできる。
そして、保護キャップ７全体をシリコン樹脂による樹脂成形品で構成した例を示したが、例えば、キャップ本体部８とレバー覆い部１０を別体に構成し、両者を接着剤などで接続して実施することもできる。
【産業上の利用可能性】
【００３３】
以上説明したように、ガスコンセントの保護性能の向上を図り、ガスコンセントを所望どおりに保護し得るガスコンセント用の保護キャップを提供することができる。
【符号の説明】
【００３４】
１        ガスコンセント
２        プラグ
３        ソケット
５        脱レバー
５ａ      二股操作部
７        保護キャップ
８        キャップ本体部
１０      レバー覆い部
１０ａ    カバー部
１０ｂ    舌片
１３      リブ
【図１】
0005666857.tif 000002
【図２】
0005666857.tif 000003
【図３】
0005666857.tif 000004
【図４】
0005666857.tif 000005
【図５】
0005666857.tif 000006
【図６】
0005666857.tif 000007
【図７】
0005666857.tif 000008
【図８】
0005666857.tif 000009
【図９】
0005666857.tif 000010
【図１０】
0005666857.tif 000011